(57)【要約】【課題】本発明の課題は、無線通信システムで端末により遂行されるアップリンク通信遂行方法、及びこれを用いる端末を提供することにある。【解決手段】無線通信システムで端末によるアップリンク通信遂行方法において、アナログビーム別に独立に設定された、アップリンク通信関連のパラメータを受信し、前記パラメータに基づいて前記アップリンク通信を遂行する。前記アップリンク通信を特定のアナログビームを用いて遂行する場合、前記特定のアナログビームに設定されたアップリンク通信関連のパラメータを前記アップリンク通信に適用することを特徴とする。【選択図】図１６
2019523617.tif 000002
【特許請求の範囲】
【請求項１】
無線通信システムで端末によるアップリンク通信遂行方法において、
アナログビーム別に独立に設定された、アップリンク通信関連のパラメータを受信し、
前記パラメータに基づいて前記アップリンク通信を遂行し、
前記アップリンク通信を特定のアナログビームを用いて遂行する場合、前記特定のアナログビームに設定されたアップリンク通信関連のパラメータを前記アップリンク通信に適用する、方法。
【請求項２】
複数のアナログビームを基地局から受信し、
前記複数のアナログビームを測定し、
前記複数のアナログビームのうちの一部アナログビームの測定結果を前記基地局に転送する、請求項１に記載の方法。
【請求項３】
前記アナログビームは、ビーム参照信号（ｂｅａｍ  ｒｅｆｅｒｅｎｃｅ  ｓｉｇｎａｌ：ＢＲＳ）を含む、請求項１に記載の方法。
【請求項４】
前記ビーム参照信号は、アナログビーム別に区分されるＩＤ（ｉｄｅｎｔｉｔｙ）を含む、請求項３に記載の方法。
【請求項５】
前記特定のアナログビームに設定されたアップリンク通信関連のパラメータは、
アップリンク制御情報の転送時に適用される変調及びコーディング技法（ｍｏｄｕｌａｔｉｏｎ  ａｎｄ  ｃｏｄｉｎｇ  ｓｃｈｅｍｅ：ＭＣＳ）を決定するオフセット値を含む、請求項１に記載の方法。
【請求項６】
前記特定のアナログビームに設定されたアップリンク通信関連のパラメータは、
アップリンク制御情報の転送のためのアップリンク制御チャンネルのリソース、アップリンク制御チャンネルのフォーマット、アップリンク制御チャンネルの転送技法、及びアップリンク制御チャンネルの参照信号シーケンス生成関連のシード（ｓｅｅｄ）値のうちの少なくとも一つを含む、請求項１に記載の方法。
【請求項７】
前記特定のアナログビームに設定されたアップリンク通信関連のパラメータは、
サウンディング参照信号（ｓｏｕｎｄｉｎｇ  ｒｅｆｅｒｅｎｃｅ  ｓｉｇｎａｌ：ＳＲＳ）の転送に適用される電力オフセット値、アップリンク制御チャンネルのフォーマット別に適用される電力オフセット値、アップリンク制御チャンネルの送信ダイバーシチ（ｔｒａｎｓｍｉｔ  ｄｉｖｅｒｓｉｔｙ）技法に適用される電力オフセット値、及びアップリンク制御情報ペイロード（ｐａｙｌｏａｄ）の大きさによる電力オフセット値のうちの少なくとも一つを含む、請求項１に記載の方法。
【請求項８】
前記特定のアナログビームに設定されたアップリンク通信関連のパラメータは、
アナログビーム別のアップリンク半静的スケジューリングの設定情報を含む、請求項１に記載の方法。
【請求項９】
前記特定のアナログビームに設定されたアップリンク通信関連のパラメータは、
サウンディング参照信号のリソース及び転送形態に対する情報、アップリンク転送モード情報及びタイミングアドバンス（ｔｉｍｉｎｇ  ａｄｖａｎｃｅｄ：ＴＡ）情報のうちの少なくとも一つを含む、請求項１に記載の方法。
【請求項１０】
前記端末に設定された複数のアナログビームのうち、一部アナログビームでのみアップリンク半静的スケジューリングの動作が許可される、請求項１に記載の方法。
【請求項１１】
前記アナログビーム別に独立に設定された、アップリンク通信関連のパラメータは、
一部アナログビームには同一の値を有し、残りのアナログビームには互いに異なる値を有するように設定される、請求項１に記載の方法。
【請求項１２】
端末（Ｕｓｅｒ  ｅｑｕｉｐｍｅｎｔ；ＵＥ）は、
無線信号を送信及び受信するＲＦ（Ｒａｄｉｏ  Ｆｒｅｑｕｅｎｃｙ）部と、
前記ＲＦ部と結合して動作するプロセッサとを含み、前記プロセッサは、
アナログビーム別に独立に設定された、アップリンク通信関連のパラメータを受信し、
前記パラメータに基づいて前記アップリンク通信を遂行し、
前記アップリンク通信を特定のアナログビームを用いて遂行する場合、前記特定のアナログビームに設定されたアップリンク通信関連のパラメータを前記アップリンク通信に適用する、端末。
【発明の詳細な説明】
【技術分野】
【０００１】
本明細書は、無線通信に関し、より詳細には、無線通信システムで端末により遂行されるアップリンク通信遂行方法、及びこの方法を用いる端末に関する。
【背景技術】
【０００２】
より多くの通信機器がより大きな通信容量を要求することになり、これに伴って既存の無線アクセス技術（ｒａｄｉｏ  ａｃｃｅｓｓ  ｔｅｃｈｎｏｌｏｇｙ；ＲＡＴ）に比べて向上したモバイルブロードバンド（ｍｏｂｉｌｅ  ｂｒｏａｄｂａｎｄ）通信に対する必要性が台頭している。また、多数の機器及びモノを連結し、いつどこでも多様なサービスを提供するｍａｓｓｉｖｅ  ＭＴＣ（ｍａｓｓｉｖｅ  Ｍａｃｈｉｎｅ  Ｔｙｐｅ  Ｃｏｍｍｕｎｉｃａｔｉｏｎｓ）もやはり、次世代の通信で考慮されるべき主要なイシューの一つである。
【０００３】
信頼度（ｒｅｌｉａｂｉｌｉｔｙ）及び遅延（ｌａｔｅｎｃｙ）に敏感なサービス又は端末を考慮した通信システムのデザインが議論されているが、改善されたモバイルブロードバンド通信、ｍａｓｓｉｖｅ  ＭＴＣ、ＵＲＬＬＣ（Ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎ）等を考慮した次世代の無線アクセス技術を新しいＲＡＴ（ｎｅｗ  ｒａｄｉｏ  ａｃｃｅｓｓ  ｔｅｃｈｎｏｌｏｇｙ）またはＮＲと称することができる。
【０００４】
ＮＲでは、デジタルビームフォーミング（ｄｉｇｉｔａｌ  ｂｅａｍｆｏｒｍｉｎｇ）だけでなく、アナログビームフォーミング（ａｎａｌｏｇ  ｂｅａｍｆｏｒｍｉｎｇ）を考慮した通信を考慮している。
【０００５】
デジタルビームフォーミングは、ベースバンド端でプリコーディングを遂行するものといえ、アナログビームフォーミングは、ＲＦ（ｒａｄｉｏ  ｆｒｅｑｕｅｎｃｙ）端でプリコーディングを遂行するものといえる。デジタルビームフォーミングを経て出たビームをデジタルビーム、アナログビームフォーミングを経て出たビームをアナログビームと称することができる。
【０００６】
ＮＲで、アナログビームベースのアップリンクチャンネル／信号の転送が遂行される場合、異なる特性／環境のアナログビームを介して転送されるアップリンクチャンネル／信号の高い信頼度（ＲＥＬＩＡＢＩＬＩＴＹ）を得て、アナログビーム別の効率的なリソースの運営またはスケジューリングをすることができる、アップリンク通信関連のパラメータの設定方法が必要であり、前記方法に基づく端末のアップリンク通信方法が要求される。
【発明の概要】
【発明が解決しようとする課題】
【０００７】
本発明が解決しようとする技術的課題は、無線通信システムで端末により遂行されるアップリンク通信遂行方法、及びこれを用いる端末を提供することである。
【課題を解決するための手段】
【０００８】
一側面で、無線通信システムで端末によるアップリンク通信遂行方法を提供する。前記方法は、アナログビーム別に独立に設定された、アップリンク通信関連のパラメータを受信し、前記パラメータに基づいて前記アップリンク通信を遂行する。前記アップリンク通信を特定のアナログビームを用いて遂行する場合、前記特定のアナログビームに設定されたアップリンク通信関連のパラメータを前記アップリンク通信に適用することを特徴とする。
【０００９】
前記端末は、複数のアナログビームを基地局から受信し、前記複数のアナログビームを測定し、前記複数のアナログビームのうちの一部アナログビームの測定結果を前記基地局に転送することができる。
【００１０】
前記アナログビームは、ビーム参照信号（ｂｅａｍ  ｒｅｆｅｒｅｎｃｅ  ｓｉｇｎａｌ：ＢＲＳ）を含むことができる。
【００１１】
前記ビーム参照信号は、アナログビーム別に区分されるＩＤ（ｉｄｅｎｔｉｔｙ）を含むことができる。
【００１２】
前記特定のアナログビームに設定されたアップリンク通信関連のパラメータは、アップリンク制御情報の転送時に適用される変調及びコーディング技法（ｍｏｄｕｌａｔｉｏｎ  ａｎｄ  ｃｏｄｉｎｇ  ｓｃｈｅｍｅ：ＭＣＳ）を決定するオフセット値を含むことができる。
【００１３】
前記特定のアナログビームに設定されたアップリンク通信関連のパラメータは、アップリンク制御情報の転送のためのアップリンク制御チャンネルのリソース、アップリンク制御チャンネルのフォーマット、アップリンク制御チャンネルの転送技法、及びアップリンク制御チャンネルの参照信号シーケンス生成関連のシード（ｓｅｅｄ）値のうちの少なくとも一つを含むことができる。
【００１４】
前記特定のアナログビームに設定されたアップリンク通信関連のパラメータは、サウンディング参照信号（ｓｏｕｎｄｉｎｇ  ｒｅｆｅｒｅｎｃｅ  ｓｉｇｎａｌ：ＳＲＳ）の転送に適用される電力オフセット値、アップリンク制御チャンネルのフォーマット別に適用される電力オフセット値、アップリンク制御チャンネルの送信ダイバーシチ（ｔｒａｎｓｍｉｔ  ｄｉｖｅｒｓｉｔｙ）技法に適用される電力オフセット値、及びアップリンク制御情報ペイロード（ｐａｙｌｏａｄ）の大きさによる電力オフセット値のうちの少なくとも一つを含むことができる。
【００１５】
前記特定のアナログビームに設定されたアップリンク通信関連のパラメータは、アナログビーム別のアップリンク半静的スケジューリングの設定情報を含むことができる。
【００１６】
前記特定のアナログビームに設定されたアップリンク通信関連のパラメータは、サウンディング参照信号のリソース及び転送形態に対する情報、アップリンク転送モード情報及びタイミングアドバンス（ｔｉｍｉｎｇ  ａｄｖａｎｃｅｄ：ＴＡ）情報のうちの少なくとも一つを含むことができる。
【００１７】
前記端末に設定された複数のアナログビームのうち、一部アナログビームでのみアップリンク半静的スケジューリングの動作が許可されることができる。
【００１８】
前記アナログビーム別に独立に設定された、アップリンク通信関連のパラメータは、一部アナログビームには同一の値を有し、残りのアナログビームには互いに異なる値を有するように設定されることができる。
【００１９】
他の側面で提供される端末（Ｕｓｅｒ  ｅｑｕｉｐｍｅｎｔ；ＵＥ）は、無線信号を送信及び受信するＲＦ（Ｒａｄｉｏ  Ｆｒｅｑｕｅｎｃｙ）部と、前記ＲＦ部と結合して動作するプロセッサとを含み、前記プロセッサは、アナログビーム別に独立に設定された、アップリンク通信関連のパラメータを受信し、前記パラメータに基づいて前記アップリンク通信を遂行し、前記アップリンク通信を特定のアナログビームを用いて遂行する場合、前記特定のアナログビームに設定されたアップリンク通信関連のパラメータを前記アップリンク通信に適用することを特徴とする。
【発明の効果】
【００２０】
ＮＲで、アナログビーム別に独立のアップリンク通信関連のパラメータが設定されることができる。従って、アナログビームベースのアップリンクチャンネル／信号の転送が遂行される場合、異なる特性／環境のアナログビームを介して転送されるアップリンクチャンネル／信号の高い信頼度（ＲＥＬＩＡＢＩＬＩＴＹ）を得て、アナログビーム別に効率的なリソースの運営またはスケジューリングが可能である。
【図面の簡単な説明】
【００２１】
【図１】既存の無線通信システムを例示する。
【図２】ユーザ平面（ｕｓｅｒ  ｐｌａｎｅ）に対する無線プロトコル構造（ｒａｄｉｏ  ｐｒｏｔｏｃｏｌ  ａｒｃｈｉｔｅｃｔｕｒｅ）を示すブロック図である。
【図３】制御平面（ｃｏｎｔｒｏｌ  ｐｌａｎｅ）に対する無線プロトコル構造を示すブロック図である。
【図４】ＮＲが適用される次世代の無線アクセスネットワーク（Ｎｅｗ  Ｇｅｎｅｒａｔｉｏｎ  Ｒａｄｉｏ  Ａｃｃｅｓｓ  Ｎｅｔｗｏｒｋ：ＮＧ−ＲＡＮ）のシステム構造を例示する。
【図５】ＮＧ−ＲＡＮと５ＧＣとの間の機能的分割を例示する。
【図６】新しい無線アクセス技術に対するフレーム構造の一例を示す。
【図７】ＴＸＲＵとアンテナエレメント（ｅｌｅｍｅｎｔ）の連結方式の一例を示す。
【図８】ＴＸＲＵとアンテナエレメント（ｅｌｅｍｅｎｔ）の連結方式の一例を示す。
【図９】前記ＴＸＲＵ及び物理的アンテナの観点において、ハイブリッドビームフォーミング（Ｈｙｂｒｉｄ  ｂｅａｍｆｏｒｍｉｎｇ）の構造を抽象的に図式化している。
【図１０】ダウンリンク（Ｄｏｗｎｌｉｎｋ；ＤＬ）の転送過程で同期化信号（Ｓｙｎｃｈｒｏｎｉｚａｔｉｏｎ  ｓｉｇｎａｌ）とシステム情報（Ｓｙｓｔｅｍ  ｉｎｆｏｒｍａｔｉｏｎ）に対して、前記ビームスイーピング（Ｂｅａｍ  ｓｗｅｅｐｉｎｇ）の動作を図式化している。
【図１１】パネルアンテナアレイに対する一例を概略的に示す。
【図１２】全てのＴＸＲＵが同一のアナログビームフォーミングの方向を有する場合、ＴＸＲＵ別のサービス領域の一例を概略的に示す。
【図１３】各ＴＸＲＵが異なるアナログビームフォーミングの方向を有する場合、ＴＸＲＵ別のサービス領域の一例を概略的に示す。
【図１４】ＵＥ１に転送されるＰＤＳＣＨ１とＵＥ２に転送されるＰＤＳＣＨ２がＦＤＭ（Ｆｒｅｑｕｅｎｃｙ  Ｄｉｖｉｓｉｏｎ  Ｍｕｌｔｉｐｌｅｘｉｎｇ）されて転送される一例を概略的に示す。
【図１５】ＰＣＲＳの一例を概略的に示す。
【図１６】本発明に係る端末のアップリンク通信の遂行方法を例示する。
【図１７】図１６の方法を適用する具体的な例を示す。
【図１８】例示＃２−１によるＳＰＳ設定方法を示す。
【図１９】本発明の実施例が具現される装置を示すブロック図である。
【発明を実施するための形態】
【００２２】
図１は、既存の無線通信システムを例示する。これは、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）、またはＬＴＥ（Ｌｏｎｇ  Ｔｅｒｍ  Ｅｖｏｌｕｔｉｏｎ）／ＬＴＥ−Ａシステムとも呼ばれる。
【００２３】
Ｅ−ＵＴＲＡＮは、端末（Ｕｓｅｒ  Ｅｑｕｉｐｍｅｎｔ、ＵＥ）１０に制御平面（ｃｏｎｔｒｏｌ  ｐｌａｎｅ）とユーザ平面（ｕｓｅｒ  ｐｌａｎｅ）を提供する基地局（Ｂａｓｅ  Ｓｔａｔｉｏｎ、ＢＳ）２０を含む。端末１０は、固定されてもよいし、移動性を有してもよく、ＭＳ（Ｍｏｂｉｌｅ  ｓｔａｔｉｏｎ）、ＵＴ（Ｕｓｅｒ  Ｔｅｒｍｉｎａｌ）、ＳＳ（Ｓｕｂｓｃｒｉｂｅｒ  Ｓｔａｔｉｏｎ）、ＭＴ（ｍｏｂｉｌｅ  ｔｅｒｍｉｎａｌ）、無線機器（Ｗｉｒｅｌｅｓｓ  Ｄｅｖｉｃｅ）等、他の用語で呼ばれることもある。基地局２０は、端末１０と通信する固定局（ｆｉｘｅｄ  ｓｔａｔｉｏｎ）を意味し、ｅＮＢ（ｅｖｏｌｖｅｄ−ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）等、他の用語で呼ばれることもある。
【００２４】
基地局２０は、Ｘ２インターフェースを介して互いに連結されることができる。基地局２０は、Ｓ１インターフェースを介してＥＰＣ（Ｅｖｏｌｖｅｄ  Ｐａｃｋｅｔ  Ｃｏｒｅ）３０、より詳しくは、Ｓ１−ＭＭＥを介してＭＭＥ（Ｍｏｂｉｌｉｔｙ  Ｍａｎａｇｅｍｅｎｔ  Ｅｎｔｉｔｙ）と連結され、Ｓ１−Ｕを介してＳ−ＧＷ（Ｓｅｒｖｉｎｇ  Ｇａｔｅｗａｙ）と連結される。
【００２５】
ＥＰＣ３０は、ＭＭＥ、Ｓ−ＧＷ及びＰ−ＧＷ（Ｐａｃｋｅｔ  Ｄａｔａ  Ｎｅｔｗｏｒｋ−Ｇａｔｅｗａｙ）で構成される。ＭＭＥは、端末の接続情報や端末の能力に対する情報を有しており、このような情報は、端末の移動性管理に主に使われる。Ｓ−ＧＷは、Ｅ−ＵＴＲＡＮを終端点として有するゲートウェイであり、Ｐ−ＧＷは、ＰＤＮを終端点として有するゲートウェイである。
【００２６】
端末とネットワークとの間の無線インターフェースプロトコル（Ｒａｄｉｏ  Ｉｎｔｅｒｆａｃｅ  Ｐｒｏｔｏｃｏｌ）の階層は、通信システムで広く知られた開放型システム間相互接続（Ｏｐｅｎ  Ｓｙｓｔｅｍ  Ｉｎｔｅｒｃｏｎｎｅｃｔｉｏｎ；ＯＳＩ）基準モデルの下位３個階層に基づいてＬ１（第１の階層）、Ｌ２（第２の階層）、Ｌ３（第３の階層）に区分されることができ、そのうち、第１の階層に属する物理階層は、物理チャネル（Ｐｈｙｓｉｃａｌ  Ｃｈａｎｎｅｌ）を利用した情報転送サービス（Ｉｎｆｏｒｍａｔｉｏｎ  Ｔｒａｎｓｆｅｒ  Ｓｅｒｖｉｃｅ）を提供し、第３の階層に位置するＲＲＣ（Ｒａｄｉｏ  Ｒｅｓｏｕｒｃｅ  Ｃｏｎｔｒｏｌ）階層は、端末とネットワークとの間に無線リソースを制御する役割を遂行する。そのために、ＲＲＣ階層は、端末と基地局との間のＲＲＣメッセージを交換する。
【００２７】
図２は、ユーザ平面（ｕｓｅｒ  ｐｌａｎｅ）に対する無線プロトコル構造（ｒａｄｉｏ  ｐｒｏｔｏｃｏｌ  ａｒｃｈｉｔｅｃｔｕｒｅ）を示すブロック図である。図３は、制御平面（ｃｏｎｔｒｏｌ  ｐｌａｎｅ）に対する無線プロトコル構造を示すブロック図である。ユーザ平面は、ユーザデータ送信のためのプロトコルスタック（ｐｒｏｔｏｃｏｌ ｓｔａｃｋ）であり、制御平面は、制御信号送信のためのプロトコルスタックである。
【００２８】
図２及び図３を参照すると、物理階層（ＰＨＹ（ｐｈｙｓｉｃａｌ）  ｌａｙｅｒ）は、物理チャネル（ｐｈｙｓｉｃａｌ  ｃｈａｎｎｅｌ）を利用して上位階層に情報転送サービス（ｉｎｆｏｒｍａｔｉｏｎ  ｔｒａｎｓｆｅｒ  ｓｅｒｖｉｃｅ）を提供する。物理階層は、上位階層であるＭＡＣ（Ｍｅｄｉｕｍ  Ａｃｃｅｓｓ  Ｃｏｎｔｒｏｌ）階層とはトランスポートチャネル（ｔｒａｎｓｐｏｒｔ  ｃｈａｎｎｅｌ）を介して連結されている。トランスポートチャネルを介してＭＡＣ階層と物理階層との間にデータが移動する。トランスポートチャネルは、無線インターフェースを介して、データが、どのように、どのような特徴にトランスポートされるかによって分類される。
【００２９】
互いに異なる物理階層間、即ち、送信機と受信機の物理階層間は、物理チャネルを介してデータが移動する。前記物理チャネルは、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式に変調されることができ、時間と周波数を無線リソースとして活用する。
【００３０】
ＭＡＣ階層の機能は、論理チャネルとトランスポートチャネルとの間のマッピング、及び論理チャネルに属するＭＡＣ  ＳＤＵ（ｓｅｒｖｉｃｅ  ｄａｔａ  ｕｎｉｔ）のトランスポートチャネル上に物理チャネルで提供されるトランスポートブロック（ｔｒａｎｓｐｏｒｔ  ｂｌｏｃｋ）への多重化／逆多重化を含む。ＭＡＣ階層は、論理チャネルを介してＲＬＣ（Ｒａｄｉｏ  Ｌｉｎｋ  Ｃｏｎｔｒｏｌ）階層にサービスを提供する。
【００３１】
ＲＬＣ階層の機能は、ＲＬＣ  ＳＤＵの連結（ｃｏｎｃａｔｅｎａｔｉｏｎ）、分割（ｓｅｇｍｅｎｔａｔｉｏｎ）及び再結合（ｒｅａｓｓｅｍｂｌｙ）を含む。無線ベアラ（Ｒａｄｉｏ  Ｂｅａｒｅｒ；ＲＢ）が要求する多様なＱｏＳ（Ｑｕａｌｉｔｙ  ｏｆ  Ｓｅｒｖｉｃｅ）を保障するために、ＲＬＣ階層は、透明モード（Ｔｒａｎｓｐａｒｅｎｔ  Ｍｏｄｅ、ＴＭ）、非確認モード（Ｕｎａｃｋｎｏｗｌｅｄｇｅｄ  Ｍｏｄｅ、ＵＭ）及び確認モード（Ａｃｋｎｏｗｌｅｄｇｅｄ  Ｍｏｄｅ、ＡＭ）の三つの動作モードを提供する。ＡＭ  ＲＬＣは、ＡＲＱ（ａｕｔｏｍａｔｉｃ  ｒｅｐｅａｔ  ｒｅｑｕｅｓｔ）を介してエラー訂正を提供する。
【００３２】
ＲＲＣ（Ｒａｄｉｏ  Ｒｅｓｏｕｒｃｅ  Ｃｏｎｔｒｏｌ）階層は、制御平面でのみ定義される。ＲＲＣ階層は、無線ベアラの設定（ｃｏｎｆｉｇｕｒａｔｉｏｎ）、再設定（ｒｅ−ｃｏｎｆｉｇｕｒａｔｉｏｎ）及び解除（ｒｅｌｅａｓｅ）と関連して論理チャネル、トランスポートチャネル及び物理チャネルの制御を担当する。ＲＢは、端末とネットワークとの間のデータ伝達のために、第１の階層（ＰＨＹ階層）及び第２の階層（ＭＡＣ階層、ＲＬＣ階層、ＰＤＣＰ階層）により提供される論理的経路を意味する。
【００３３】
ユーザ平面でのＰＤＣＰ（Ｐａｃｋｅｔ  Ｄａｔａ  Ｃｏｎｖｅｒｇｅｎｃｅ  Ｐｒｏｔｏｃｏｌ）階層の機能は、ユーザデータの伝達、ヘッダ圧縮（ｈｅａｄｅｒ  ｃｏｍｐｒｅｓｓｉｏｎ）及び暗号化（ｃｉｐｈｅｒｉｎｇ）を含む。制御平面でのＰＤＣＰ（Ｐａｃｋｅｔ  Ｄａｔａ  Ｃｏｎｖｅｒｇｅｎｃｅ  Ｐｒｏｔｏｃｏｌ）階層の機能は、制御平面データの伝達及び暗号化／完全性保護（ｉｎｔｅｇｒｉｔｙ  ｐｒｏｔｅｃｔｉｏｎ）を含む。
【００３４】
ＲＢが設定されるとは、特定サービスを提供するために、無線プロトコル階層及びチャネルの特性を規定し、それぞれの具体的なパラメータ及び動作方法を設定する過程を意味する。また、ＲＢは、ＳＲＢ（Ｓｉｇｎａｌｉｎｇ  ＲＢ）とＤＲＢ（Ｄａｔａ  ＲＢ）の二つに分けられる。ＳＲＢは、制御平面でＲＲＣメッセージを送信する通路として使われ、ＤＲＢは、ユーザ平面でユーザデータを送信する通路として使われる。
【００３５】
端末のＲＲＣ階層とＥ−ＵＴＲＡＮのＲＲＣ階層との間にＲＲＣ接続（ＲＲＣ  Ｃｏｎｎｅｃｔｉｏｎ）が確立される場合、端末は、ＲＲＣ接続（ＲＲＣ  ｃｏｎｎｅｃｔｅｄ）状態になり、そうでない場合、ＲＲＣアイドル（ＲＲＣ  ｉｄｌｅ）状態になる。
【００３６】
ネットワークから端末にデータを送信するダウンリンクトランスポートチャネルには、システム情報を送信するＢＣＨ（Ｂｒｏａｄｃａｓｔ  Ｃｈａｎｎｅｌ）と、ユーザトラフィックや制御メッセージを送信するダウンリンクＳＣＨ（Ｓｈａｒｅｄ  Ｃｈａｎｎｅｌ）がある。ダウンリンクマルチキャストまたはブロードキャストサービスのトラフィックまたは制御メッセージの場合、ダウンリンクＳＣＨを介して送信されることもでき、または別途のダウンリンクＭＣＨ（Ｍｕｌｔｉｃａｓｔ  Ｃｈａｎｎｅｌ）を介して送信されることもできる。一方、端末からネットワークにデータを送信するアップリンクトランスポートチャネルとしては、初期制御メッセージを送信するＲＡＣＨ（Ｒａｎｄｏｍ  Ａｃｃｅｓｓ  Ｃｈａｎｎｅｌ）と、ユーザトラフィックや制御メッセージを送信するアップリンクＳＣＨ（Ｓｈａｒｅｄ  Ｃｈａｎｎｅｌ）がある。
【００３７】
トランスポートチャネル上位にあり、トランスポートチャネルにマッピングされる論理チャネル（Ｌｏｇｉｃａｌ  Ｃｈａｎｎｅｌ）には、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＣＣＣＨ（Ｃｏｍｍｏｎ  Ｃｏｎｔｒｏｌ  Ｃｈａｎｎｅｌ）、ＭＣＣＨ（Ｍｕｌｔｉｃａｓｔ  Ｃｏｎｔｒｏｌ  Ｃｈａｎｎｅｌ）、ＭＴＣＨ（Ｍｕｌｔｉｃａｓｔ  Ｔｒａｆｆｉｃ  Ｃｈａｎｎｅｌ）などがある。
【００３８】
物理チャネル（Ｐｈｙｓｉｃａｌ  Ｃｈａｎｎｅｌ）は、時間領域で複数個のＯＦＤＭシンボルと周波数領域で複数個の副搬送波（Ｓｕｂ−ｃａｒｒｉｅｒ）とで構成される。一つのサブフレーム（Ｓｕｂ−ｆｒａｍｅ）は、時間領域で複数のＯＦＤＭシンボル（Ｓｙｍｂｏｌ）で構成される。リソースブロックは、リソース割当単位であり、複数のＯＦＤＭシンボルと複数の副搬送波（ｓｕｂ−ｃａｒｒｉｅｒ）とで構成される。また、各サブフレームは、ＰＤＣＣＨ（Ｐｈｙｓｉｃａｌ  Ｄｏｗｎｌｉｎｋ  Ｃｏｎｔｒｏｌ  Ｃｈａｎｎｅｌ）、即ち、Ｌ１／Ｌ２制御チャネルのために、該当サブフレームの特定ＯＦＤＭシンボル（例えば、１番目のＯＦＤＭシンボル）の特定副搬送波を利用することができる。ＴＴＩ（Ｔｒａｎｓｍｉｓｓｉｏｎ  Ｔｉｍｅ  Ｉｎｔｅｒｖａｌ）は、サブフレーム送信の単位時間である。
【００３９】
以下、新しい無線アクセス技術（ｎｅｗ  ｒａｄｉｏ  ａｃｃｅｓｓ  ｔｅｃｈｎｏｌｏｇｙ；ｎｅｗ  ＲＡＴ）について説明する。
【００４０】
より多くの通信機器がより大きな通信容量を要求することになり、これに伴って既存の無線アクセス技術（ｒａｄｉｏ  ａｃｃｅｓｓ  ｔｅｃｈｎｏｌｏｇｙ；ＲＡＴ）に比べて向上したモバイルブロードバンド（ｍｏｂｉｌｅ  ｂｒｏａｄｂａｎｄ）通信に対する必要性が台頭している。また、多数の機器及びモノを連結し、いつどこでも多様なサービスを提供するｍａｓｓｉｖｅ  ＭＴＣ（ｍａｓｓｉｖｅ  Ｍａｃｈｉｎｅ  Ｔｙｐｅ  Ｃｏｍｍｕｎｉｃａｔｉｏｎｓ）もやはり、次世代の通信で考慮されるべき主要なイシューの一つである。のみならず、信頼度（ｒｅｌｉａｂｉｌｉｔｙ）及び遅延（ｌａｔｅｎｃｙ）に敏感なサービス又は端末を考慮した通信システムのデザインが議論されている。このように拡張されたモバイルブロードバンドコミュニケーション（ｅｎｈａｎｃｅｄ  ｍｏｂｉｌｅ  ｂｒｏａｄｂａｎｄ  ｃｏｍｍｕｎｉｃａｔｉｏｎ）、ｍａｓｓｉｖｅ  ＭＴＣ、ＵＲＬＬＣ（Ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎ）等を考慮した次世代の無線アクセス技術の導入が議論されており、本発明では、便宜上、該当技術（ｔｅｃｈｎｏｌｏｇｙ）をｎｅｗ  ＲＡＴまたはＮＲと呼ぶ。
【００４１】
図４は、ＮＲが適用される次世代の無線アクセスネットワーク（Ｎｅｗ  Ｇｅｎｅｒａｔｉｏｎ  Ｒａｄｉｏ  Ａｃｃｅｓｓ  Ｎｅｔｗｏｒｋ：ＮＧ−ＲＡＮ）のシステム構造を例示する。
【００４２】
図４を参照すると、ＮＧ−ＲＡＮは、端末にユーザー平面及び制御平面プロトコル終端（ｔｅｒｍｉｎａｔｉｏｎ）を提供するｇＮＢ及び／又はｅＮＢを含むことができる。図４では、ｇＮＢのみを含む場合を例示する。ｇＮＢ及びｅＮＢは、相互間にＸｎインターフェースで連結されている。ｇＮＢ及びｅＮＢは、５世代コアネットワーク（５Ｇ  Ｃｏｒｅ  Ｎｅｔｗｏｒｋ：５ＧＣ）とＮＧインターフェースを介して連結されている。より具体的に、ＡＭＦ（ａｃｃｅｓｓ  ａｎｄ  ｍｏｂｉｌｉｔｙ  ｍａｎａｇｅｍｅｎｔ  ｆｕｎｃｔｉｏｎ）とはＮＧ−Ｃインターフェースを介して連結され、ＵＰＦ（ｕｓｅｒ  ｐｌａｎｅ  ｆｕｎｃｔｉｏｎ）とはＮＧ−Ｕインターフェースを介して連結される。
【００４３】
図５は、ＮＧ−ＲＡＮと５ＧＣとの間の機能的分割を例示する。
【００４４】
図５を参照すると、ｇＮＢはインターセル間の無線リソース管理（Ｉｎｔｅｒ  Ｃｅｌｌ  ＲＲＭ）、無線ベアラー管理（ＲＢ  ｃｏｎｔｒｏｌ）、連結移動性制御（Ｃｏｎｎｅｃｔｉｏｎ  Ｍｏｂｉｌｉｔｙ  Ｃｏｎｔｒｏｌ）、無線許可制御（Ｒａｄｉｏ  Ａｄｍｉｓｓｉｏｎ  Ｃｏｎｔｒｏｌ）、測定設定及び提供（Ｍｅａｓｕｒｅｍｅｎｔ  ｃｏｎｆｉｇｕｒａｔｉｏｎ  ＆  Ｐｒｏｖｉｓｉｏｎ）、動的リソース割り当て（ｄｙｎａｍｉｃ  ｒｅｓｏｕｒｃｅ  ａｌｌｏｃａｔｉｏｎ）等の機能を提供することができる。ＡＭＦは、ＮＡＳ保安、アイドル状態の移動性処理等の機能を提供することができる。ＵＰＦは、移動性アンカリング（Ｍｏｂｉｌｉｔｙ  Ａｎｃｈｏｒｉｎｇ）、ＰＤＵ処理等の機能を提供することができる。ＳＭＦ（Ｓｅｓｓｉｏｎ  Ｍａｎａｇｅｍｅｎｔ  Ｆｕｎｃｔｉｏｎ）は、端末ＩＰアドレス割り当て、ＰＤＵセッション制御等の機能を提供することができる。
【００４５】
ＮＲでは、次の技術／特徴が適用されることができる。
【００４６】
＜自己完結型サブフレームの構造（Ｓｅｌｆ−ｃｏｎｔａｉｎｅｄ  ｓｕｂｆｒａｍｅ  ｓｔｒｕｃｔｕｒｅ）＞
【００４７】
図６は、新しい無線アクセス技術に対するフレーム構造の一例を示す。
【００４８】
ＮＲでは、遅延（ｌａｔｅｎｃｙ）を最小化するための目的で、図６のように一つのＴＴＩ内に、制御チャンネルとデータチャンネルがＴＤＭされる構造がフレーム構造（ｆｒａｍｅ  ｓｔｒｕｃｔｕｒｅ）の一つとして考慮されることができる。
【００４９】
図６で、斜線領域は、ダウンリンク制御（ｄｏｗｎｌｉｎｋ  ｃｏｎｔｒｏｌ）の領域を示し、黒色部分はアップリンク制御（ｕｐｌｉｎｋ  ｃｏｎｔｒｏｌ）の領域を示す。表示のない領域は、ダウンリンクデータ（ｄｏｗｎｌｉｎｋ  ｄａｔａ；ＤＬ  ｄａｔａ）の転送のために用いられてもよく、アップリンクデータ（ｕｐｌｉｎｋ  ｄａｔａ；ＵＬ  ｄａｔａ）の転送のために用いられてもよい。このような構造の特徴は、一つのサブフレーム（ｓｕｂｆｒａｍｅ）内でダウンリンク（ＤＬ）の転送とアップリンク（ＵＬ）の転送が順次に進行され、サブフレーム（ｓｕｂｆｒａｍｅ）内でＤＬデータを送り、ＵＬ  ＡＣＫ／ＮＡＣＫも受けることができる。結果、データの転送エラーの発生時にデータの再転送までかかる時間を減らすことになり、このため、最終データの伝達の遅延（ｌａｔｅｎｃｙ）を最小化することができる。
【００５０】
このような自己完結型サブフレーム（ｓｅｌｆ−ｃｏｎｔａｉｎｅｄ  ｓｕｂｆｒａｍｅ）の構造で、基地局と端末が送信モードから受信モードへの切換過程または受信モードから送信モードへの切換過程のためのタイムギャップ（ｔｉｍｅ  ｇａｐ）が必要であり得る。このため、自己完結型サブフレーム（ｓｅｌｆ−ｃｏｎｔａｉｎｅｄ  ｓｕｂｆｒａｍｅ）の構造で、ＤＬからＵＬへ切り換えられる時点の一部ＯＦＤＭシンボルが保護区間（ｇｕａｒｄ  ｐｅｒｉｏｄ；ＧＰ）に設定されることができる。
【００５１】
＜アナログビームフォーミング＃１（Ａｎａｌｏｇ  ｂｅａｍｆｏｒｍｉｎｇ＃１）＞
【００５２】
ミリ波（Ｍｉｌｌｉｍｅｔｅｒ  Ｗａｖｅ；ｍｍＷ）では、波長が短くなり、同じ面積に多数個のアンテナエレメント（ｅｌｅｍｅｎｔ）の設置が可能になる。即ち、３０ＧＨｚ帯域での波長は１ｃｍであって、４  ｂｙ  ４ｃｍのパネル（ｐａｎｅｌ）に０．５ｌａｍｂｄａ（波長）間隔で二次元（２−ｄｉｍｅｎｓｉｏｎ）配列の形態で全６４（８ｘ８）のアンテナエレメント（ｅｌｅｍｅｎｔ）の設置が可能である。従って、ｍｍＷでは、多数個のアンテナエレメント（ｅｌｅｍｅｎｔ）を用いて、ビームフォーミング（ｂｅａｍｆｏｒｍｉｎｇ；ＢＦ）の利得を高めて、カバレッジを増加させたり、処理量（ｔｈｒｏｕｇｈｐｕｔ）を高めることができる。
【００５３】
この場合、アンテナエレメント（ｅｌｅｍｅｎｔ）別に転送パワー及び位相調節が可能なように、トランシーバーユニット（Ｔｒａｎｓｃｅｉｖｅｒ  Ｕｎｉｔ；ＴＸＲＵ）を有すると、周波数リソース別に独立のビームフォーミング（ｂｅａｍｆｏｒｍｉｎｇ）が可能である。しかし、１００個余りのアンテナエレメント（ｅｌｅｍｅｎｔ）に全てＴＸＲＵを設置するには、価格面で実効性が低いという問題を有することになる。従って、一つのＴＸＲＵに多数個のアンテナエレメント（ｅｌｅｍｅｎｔ）をマッピング（ｍａｐｐｉｎｇ）し、アナログフェーズシフター（ａｎａｌｏｇ  ｐｈａｓｅ  ｓｈｉｆｔｅｒ）でビーム（ｂｅａｍ）の方向を調節する方式が考慮されている。このようなアナログビームフォーミング（ａｎａｌｏｇ  ｂｅａｍｆｏｒｍｉｎｇ）方式は、全帯域において一つのビーム（ｂｅａｍ）方向のみを作ることができ、周波数選択的ビームフォーミング（ｂｅａｍｆｏｒｍｉｎｇ）を行うことができないという短所を有する。
【００５４】
デジタルビームフォーミング（Ｄｉｇｉｔａ  ＢＦ）とアナログビームフォーミング（ａｎａｌｏｇ  ＢＦ）の中間形態で、Ｑ個のアンテナエレメント（ｅｌｅｍｅｎｔ）より少ない個数であるＢ個のＴＸＲＵを有するハイブリッドビームフォーミング（ｈｙｂｒｉｄ  ＢＦ）を考慮することができる。この場合、Ｂ個のＴＸＲＵとＱ個のアンテナエレメント（ｅｌｅｍｅｎｔ）の連結方式によって差はあるが、同時に転送することができるビームの方向は、Ｂ個以下に制限されることになる。
【００５５】
図７及び図８は、ＴＸＲＵとアンテナエレメント（ｅｌｅｍｅｎｔ）の連結方式の一例を示す。
【００５６】
ここで、ＴＸＲＵ仮想化（ｖｉｒｔｕａｌｉｚａｔｉｏｎ）のモデルは、ＴＸＲＵの出力信号（ｓｉｇｎａｌ）とアンテナエレメント（ａｎｔｅｎｎａ  ｅｌｅｍｅｎｔｓ）の出力信号（ｓｉｇｎａｌ）との関係を示す。
【００５７】
図７は、ＴＸＲＵがサブアレイ（ｓｕｂ−ａｒｒａｙ）に連結された方式を示す。この場合、アンテナエレメント（ｅｌｅｍｅｎｔ）は一つのＴＸＲＵにのみ連結される。これと異なり、図８は、ＴＸＲＵが全てのアンテナエレメント（ｅｌｅｍｅｎｔ）に連結された方式を示す。この場合、アンテナエレメント（ｅｌｅｍｅｎｔ）は全てのＴＸＲＵに連結される。図でのＷは、アナログフェーズシフタにより掛けられる位相ベクトルを示す。即ち、Ｗによってアナログビームフォーミングの方向が決定される。ここで、ＣＳＩ−ＲＳアンテナポート（ＣＳＩ−ＲＳ  ａｎｔｅｎｎａ  ｐｏｒｔｓと）ＴＸＲＵとのマッピング（ｍａｐｐｉｎｇ）は１−ｔｏ−１または１−ｔｏ−ｍａｎｙであり得る。
【００５８】
＜アナログビームフォーミング＃２（Ａｎａｌｏｇ  ｂｅａｍｆｏｒｍｉｎｇ＃２）＞
【００５９】
ＮＲでは、多数のアンテナが用いられる場合、デジタルビームフォーミング（Ｄｉｇｉｔａｌ  ｂｅａｍｆｏｒｍｉｎｇ）とアナログビームフォーミング（Ａｎａｌｏｇ  ｂｅａｍｆｏｒｍｉｎｇ）とを結合したハイブリッドビームフォーミング（Ｈｙｂｒｉｄ  ｂｅａｍｆｏｒｍｉｎｇ）技法が用いられることができる。
【００６０】
このとき、アナログビームフォーミング（Ａｎａｌｏｇ  ｂｅａｍｆｏｒｍｉｎｇ）（またはＲＦ  ｂｅａｍｆｏｒｍｉｎｇ）は、ＲＦ端でプリコーディング（Ｐｒｅｃｏｄｉｎｇ）（またはコンバイニング（Ｃｏｍｂｉｎｉｎｇ））を遂行する動作を意味する。前記ハイブリッドビームフォーミング（Ｈｙｂｒｉｄ  ｂｅａｍｆｏｒｍｉｎｇ）でベースバンド（Ｂａｓｅｂａｎｄ）端とＲＦ端は、それぞれプリコーディング（Ｐｒｅｃｏｄｉｎｇ）（またはコンバイニング（Ｃｏｍｂｉｎｉｎｇ））を遂行し、これによって、ＲＦチェーン（ｃｈａｉｎ）の数とＤ／Ａ（またはＡ／Ｄ）コンバーター（ｃｏｎｖｅｒｔｅｒ）の数を減らしながらも、デジタルビームフォーミング（Ｄｉｇｉｔａｌ  ｂｅａｍｆｏｒｍｉｎｇ）に近接する性能を引き出すことができるという長所がある。
【００６１】
図９は、前記ＴＸＲＵ及び物理的アンテナの観点において、ハイブリッドビームフォーミング（Ｈｙｂｒｉｄ  ｂｅａｍｆｏｒｍｉｎｇ）の構造を抽象的に図式化している。
【００６２】
ハイブリッドビームフォーミング（Ｈｙｂｒｉｄ  ｂｅａｍｆｏｒｍｉｎｇ）の構造は、Ｎ個のトランシーバーユニット（Ｔｒａｎｓｃｅｉｖｅｒ  ｕｎｉｔ；ＴＸＲＵ）とＭ個の物理的アンテナで表現されることができる。そうすると、送信端で転送するＬ個のデータ層（Ｄａｔａ  ｌａｙｅｒ）に対するデジタルビームフォーミング（Ｄｉｇｉｔａｌ  ｂｅａｍｆｏｒｍｉｎｇ）は、Ｎ  ｂｙ  Ｌの行列で表現されることができ、以降切り換えられたＮ個のデジタル信号（Ｄｉｇｉｔａｌ  ｓｉｇｎａｌ）は、ＴＸＲＵを経てアナログ信号（Ａｎａｌｏｇ  ｓｉｇｎａｌ）に切り換えられた後、Ｍ  ｂｙ  Ｎの行列で表現されるアナログビームフォーミング（Ａｎａｌｏｇ  ｂｅａｍｆｏｒｍｉｎｇ）が適用される。
【００６３】
ＮＲシステムでは、基地局がアナログビームフォーミング（Ａｎａｌｏｇ  ｂｅａｍｆｏｒｍｉｎｇ）をシンボル単位で変更できるように設計し、特定地域に位置した端末に、より効率的なビームフォーミング（ｂｅａｍｆｏｒｍｉｎｇ）を支援する方向を考慮している。さらに、図９で、特定のＮ個のＴＸＲＵとＭ個のＲＦアンテナを一つのアンテナパネル（ｐａｎｅｌ）と定義するとき、前記ＮＲシステムでは互いに独立したハイブリッドビームフォーミング（Ｈｙｂｒｉｄ  ｂｅａｍｆｏｒｍｉｎｇ）が適用可能な複数のアンテナパネルを導入する案まで考慮されている。
【００６４】
前記のように基地局が複数のアナログビーム（Ａｎａｌｏｇ  ｂｅａｍ）を活用する場合、端末別に信号の受信に有利なアナログビーム（Ａｎａｌｏｇ  ｂｅａｍ）が異なり得るので、少なくとも同期化信号（Ｓｙｎｃｈｒｏｎｉｚａｔｉｏｎ  ｓｉｇｎａｌ）、システム情報（Ｓｙｓｔｅｍ  ｉｎｆｏｒｍａｔｉｏｎ）、ページング（Ｐａｇｉｎｇ）等に対しては、特定のサブフレーム（Ｓｕｂｆｒａｍｅ；ＳＦ）で基地局が適用する複数のアナログビーム（Ａｎａｌｏｇ  ｂｅａｍ）をシンボル別に変えて、全ての端末が受信の機会を有することができるようにするビームスイーピング（Ｂｅａｍ  ｓｗｅｅｐｉｎｇ）の動作が考慮されている。
【００６５】
図１０は、ダウンリンク（Ｄｏｗｎｌｉｎｋ；ＤＬ）の転送過程で同期化信号（Ｓｙｎｃｈｒｏｎｉｚａｔｉｏｎ  ｓｉｇｎａｌ）とシステム情報（Ｓｙｓｔｅｍ  ｉｎｆｏｒｍａｔｉｏｎ）に対して、前記ビームスイーピング（Ｂｅａｍ  ｓｗｅｅｐｉｎｇ）の動作を図式化している。
【００６６】
図１０で、ＮＲシステムのシステム情報（Ｓｙｓｔｅｍ  ｉｎｆｏｒｍａｔｉｏｎ）がブロードキャスティング（Ｂｒｏａｄｃａｓｔｉｎｇ）方式で転送される物理的リソース（または物理チャンネル）をｘＰＢＣＨ（ｐｈｙｓｉｃａｌ  ｂｒｏａｄｃａｓｔ  ｃｈａｎｎｅｌ）と名付けた。このとき、一つのシンボル内で互いに異なるアンテナパネルに属するアナログビーム（Ａｎａｌｏｇ  ｂｅａｍ）は同時転送されることができ、アナログビーム（Ａｎａｌｏｇ  ｂｅａｍ）別のチャンネルを測定するために、図１０で図式化したように（特定のアンテナパネルに対応する）単一のアナログビーム（Ａｎａｌｏｇ  ｂｅａｍ）が適用されて転送される参照信号（Ｒｅｆｅｒｅｎｃｅ  ｓｉｇｎａｌ；ＲＳ）であるビームＲＳ（Ｂｅａｍ  ＲＳ；ＢＲＳ）を導入する案が議論されている。前記ＢＲＳは、複数のアンテナポートに対して定義されることができ、ＢＲＳの各アンテナポートは、単一のアナログビーム（Ａｎａｌｏｇ  ｂｅａｍ）に対応し得る。このとき、ＢＲＳとは異なり、同期化信号（Ｓｙｎｃｈｒｏｎｉｚａｔｉｏｎ  ｓｉｇｎａｌ）またはｘＰＢＣＨは、任意の端末がうまく受信できるように、アナログビームグループ（Ａｎａｌｏｇ  ｂｅａｍ  ｇｒｏｕｐ）内の全てのアナログビーム（Ａｎａｌｏｇ  ｂｅａｍ）が適用されて転送されることができる。
【００６７】
＜パネルアレイアンテナ（Ｐａｎｅｌ  ａｒｒａｙ  ａｎｔｅｎｎａ）＞
【００６８】
図１１は、パネルアンテナアレイに対する一例を概略的に示す。
【００６９】
図１１によると、一般化されたパネルアンテナアレイ（ｐａｎｅｌ  ａｎｔｅｎｎａ  ａｒｒａｙ）は、それぞれ水平領域（ｈｏｒｉｚｏｎｔａｌ  ｄｏｍａｉｎ）と垂直領域（ｖｅｒｔｉｃａｌ  ｄｏｍａｉｎ）にＭｇ個、Ｎｇ個のパネル（ｐａｎｅｌ）で構成されることができる。一つのパネル（ｐａｎｅｌ）は、それぞれＭ個の列とＮ個の行で構成され、前記例題はＸ−ｐｏｌアンテナを仮定した。従って、全アンテナエレメント（ａｎｔｅｎｎａ  ｅｌｅｍｅｎｔ）の個数は２＊Ｍ＊Ｎ＊Ｍｇ＊Ｎｇ個で構成される。
【００７０】
＜チャンネル状態情報（ｃｈａｎｎｅｌ  ｓｔａｔｅ  ｉｎｆｏｒｍａｔｉｏｎ；ＣＳＩ）フィードバック（ｆｅｅｄｂａｃｋ）＞
【００７１】
３ＧＰＰ  ＬＴＥ（−Ａ）システムでは、端末（ＵＥ）がチャンネル状態情報（ＣＳＩ）を基地局（ＢＳ）に報告するように定義され、チャンネル状態情報（ＣＳＩ）というのは、端末とアンテナポートとの間に形成される無線チャンネル（或いはリンクともいう）の品質を示せる情報を通称する。
【００７２】
例えば、ランク指示子（ｒａｎｋ  ｉｎｄｉｃａｔｏｒ、ＲＩ）、プリコーディング行列指示子（ｐｒｅｃｏｄｉｎｇ  ｍａｔｒｉｘ  ｉｎｄｉｃａｔｏｒ、ＰＭＩ）、チャンネル品質指示子（ｃｈａｎｎｅｌ  ｑｕａｌｉｔｙ  ｉｎｄｉｃａｔｏｒ、ＣＱＩ）等がこれに該当する。ここで、ＲＩはチャンネルのランク（ｒａｎｋ）情報を示し、これは、端末が同一の時間−周波数リソースを介して受信するストリームの個数を意味する。この値は、チャンネルのロングタームフェーディング（ｆａｄｉｎｇ）によって従属されて決定されるので、ＰＭＩ、ＣＱＩより通常さらに長い周期を持って端末から基地局にフィードバックされる。ＰＭＩはチャンネル空間特性を反映した値であって、ＳＩＮＲ（ｓｉｇｎａｌ−ｔｏ−ｉｎｔｅｒｆｅｒｅｎｃｅ−ｐｌｕｓ−ｎｏｉｓｅ  ｒａｔｉｏ）等のメトリック（ｍｅｔｒｉｃ）を基準に、端末が好むプリコーディングインデックスを示す。ＣＱＩはチャンネルの強度を示す値であって、通常、ＢＳがＰＭＩを用いたときに得られる受信ＳＩＮＲを意味する。
【００７３】
３ＧＰＰ  ＬＴＥ（−Ａ）システムで、基地局は多数個のＣＳＩプロセスを端末に設定し、各プロセスに対するＣＳＩの報告を受けることができる。ここで、ＣＳＩプロセスは基地局からの信号品質の測定のためのＣＳＩ−ＲＳとの干渉測定のためのＣＳＩ−ｉｎｔｅｒｆｅｒｅｎｃｅ  ｍｅａｓｕｒｅｍｅｎｔ（ＣＳＩ−ＩＭ）リソースで構成される。
【００７４】
＜参照信号（ｒｅｆｅｒｅｎｃｅ  ｓｉｇｎａｌ；ＲＳ）仮想化（ｖｉｒｔｕａｌｉｚａｔｉｏｎ）＞
【００７５】
ｍｍＷでアナログビームフォーミング（Ａｎａｌｏｇ  ｂｅａｍｆｏｒｍｉｎｇ）により、ある時点に一つのアナログビーム（Ａｎａｌｏｇ  ｂｅａｍ）の方向のみにＰＤＳＣＨ（Ｐｈｙｓｉｃａｌ  Ｄｏｗｎｌｉｎｋ  Ｓｈａｒｅｄ  Ｃｈａｎｎｅｌ）の転送が可能である。従って、該当方向にある一部少数の端末にのみ基地局からデータの転送が可能になる。よって、必要に応じて、アンテナポート別にアナログビーム（Ａｎａｌｏｇ  ｂｅａｍ）の方向を異なって設定し、様々なアナログビーム（Ａｎａｌｏｇ  ｂｅａｍ）の方向にある多数の端末に同時にデータの転送を遂行することができるようにする。
【００７６】
以下では、２５６アンテナエレメント（ａｎｔｅｎｎａ  ｅｌｅｍｅｎｔ）を４等分し、４個のサブ−アレイ（ｓｕｂ−ａｒｒａｙ）を形成し、図１２乃至図１４のようにサブ−アレイ（ｓｕｂ−ａｒｒａｙ）にＴＸＲＵを連結した構造を例に挙げて説明するようにする。
【００７７】
各サブ−アレイ（ｓｕｂ−ａｒｒａｙ）が二次元の配列形態で全６４（８ｘ８）のアンテナエレメント（ｅｌｅｍｅｎｔ）で構成されると、特定のアナログビームフォーミング（Ａｎａｌｏｇ  ｂｅａｍｆｏｒｍｉｎｇ）により１５度の水平角領域と１５度の垂直角領域に該当する地域をカバーすることができるようになる。即ち、基地局がサービスすべき地域を多数個の領域に分け、一度に一つずつサービスすることになる。以下の説明で、ＣＳＩ−ＲＳアンテナポート（ＣＳＩ−ＲＳ  ａｎｔｅｎｎａ  ｐｏｒｔ）とＴＸＲＵは、１−ｔｏ−１マッピング（ｍａｐｐｉｎｇ）されたと仮定する。従って、アンテナポート（ａｎｔｅｎｎａ  ｐｏｒｔ）とＴＸＲＵは以下の説明で同じ意味を有する。
【００７８】
図１２は、全てのＴＸＲＵが同一のアナログビームフォーミングの方向を有する場合、ＴＸＲＵ別のサービス領域の一例を概略的に示す。
【００７９】
図１２のように全てのＴＸＲＵ（アンテナポート、ｓｕｂ−ａｒｒａｙ）が同一のアナログビームフォーミング（Ａｎａｌｏｇ  ｂｅａｍｆｏｒｍｉｎｇ）の方向を有すると、より高い解像度（ｒｅｓｏｌｕｔｉｏｎ）を有するデジタルビーム（ｄｉｇｉｔａｌ  ｂｅａｍ）を形成し、該当地域の処理量（ｔｈｒｏｕｇｈｐｕｔ）を増加させることができる。また、該当地域に転送データのランク（ＲＡＮＫ）を増加させて、該当地域の処理量（ｔｈｒｏｕｇｈｐｕｔ）を増加させることができる。
【００８０】
図１３は、各ＴＸＲＵが異なるアナログビームフォーミングの方向を有する場合、ＴＸＲＵ別のサービス領域の一例を概略的に示す。
【００８１】
図１３のように、各ＴＸＲＵ（アンテナポート、ｓｕｂ−ａｒｒａｙ）が異なるアナログビームフォーミング（Ａｎａｌｏｇ  ｂｅａｍｆｏｒｍｉｎｇ）の方向を有すると、より広い領域に分布されたＵＥに該当サブフレーム（ｓｕｂｆｒａｍｅ）（ＳＦ）で同時にデータの転送が可能になる。図の例のように、４個のアンテナポートのうちの２個は、領域１にあるＵＥ１にＰＤＳＣＨの転送のために用い、残りの２個は領域２にあるＵＥ２にＰＤＳＣＨの転送のために用いることができる。
【００８２】
図１４は、ＵＥ１に転送されるＰＤＳＣＨ１とＵＥ２に転送されるＰＤＳＣＨ２がＦＤＭ（Ｆｒｅｑｕｅｎｃｙ  Ｄｉｖｉｓｉｏｎ  Ｍｕｌｔｉｐｌｅｘｉｎｇ）されて転送される一例を概略的に示す。
【００８３】
前記図１３では、ＵＥ１に転送されるＰＤＳＣＨ１とＵＥ２に転送されるＰＤＳＣＨ２がＳＤＭ（Ｓｐａｔｉａｌ  Ｄｉｖｉｓｉｏｎ  Ｍｕｌｔｉｐｌｅｘｉｎｇ）された例に該当する。これと異なり、図１４のように、ＵＥ１に転送されるＰＤＳＣＨ１とＵＥ２に転送されるＰＤＳＣＨ２がＦＤＭ（Ｆｒｅｑｕｅｎｃｙ  Ｄｉｖｉｓｉｏｎ  Ｍｕｌｔｉｐｌｅｘｉｎｇ）されて転送されることもできる。
【００８４】
全てのアンテナポートを用いて一つの領域をサービスする方式と、アンテナポートを分けて様々な領域を同時にサービスする方式のうち、セル処理量（ｃｅｌｌ  ｔｈｒｏｕｇｈｐｕｔ）を最大化（ｍａｘｉｍｉｚａｉｏｎ）するためにＵＥにサービスするランク及びＭＣＳによって好まれる方式が変わることになる。また、各ＵＥに転送するデータの量によって、好まれる方式が変わることになる。
【００８５】
基地局は、全てのアンテナポートを用いて、一つの領域をサービスするときに得られるセル処理量（ｃｅｌｌ  ｔｈｒｏｕｇｈｐｕｔ）またはスケジューリングメトリック（ｓｃｈｅｄｕｌｉｎｇ  ｍｅｔｒｉｃ）を計算し、アンテナポートを分けて二つの領域をサービスするときに得られるセル処理量（ｃｅｌｌ  ｔｈｒｏｕｇｈｐｕｔ）またはスケジューリングメトリック（ｓｃｈｅｄｕｌｉｎｇ  ｍｅｔｒｉｃ）を計算する。基地局は各方式を介して得られるセル処理量（ｃｅｌｌ  ｔｈｒｏｕｇｈｐｕｔ）またはスケジューリングメトリック（ｓｃｈｅｄｕｌｉｎｇ  ｍｅｔｒｉｃ）を比較し、最終の転送方式を選択するようにする。結果、ＳＦ−ｂｙ−ＳＦでＰＤＳＣＨの転送に参加するアンテナポートの個数が変動することになる。基地局がアンテナポートの個数によるＰＤＳＣＨの転送ＭＣＳを計算し、スケジューリング（ｓｃｈｅｄｕｌｉｎｇ）アルゴリズムに反映するために、これに好適なＵＥからのＣＳＩフィードバックが要求される。
【００８６】
＜位相雑音（ｐｈａｓｅ  ｎｏｉｓｅ）＞
【００８７】
時間軸でのジッタ（ｊｉｔｔｅｒ）は、周波数軸で位相雑音（ｐｈａｓｅ  ｎｏｉｓｅ）として定義される。前記位相雑音（ｐｈａｓｅ  ｎｏｉｓｅ）は、時間軸受信信号の位相（ｐｈａｓｅ）を下記のようにランダム（ｒａｎｄｏｍ）に変更される。
【００８８】
【数１】
2019523617.tif 000003
【００８９】
前記数式で、
2019523617.tif 000004
はそれぞれ受信信号、時間軸信号、周波数軸信号、位相雑音（ｐｈａｓｅ  ｎｏｉｓｅ）による位相回転（ｐｈａｓｅ  ｒｏｔａｔｉｏｎ）値を示す。前記受信信号がＤＦＴ（ｄｉｓｃｒｅｔｅ  Ｆｏｕｒｉｅｒ  ｔｒａｎｓｆｏｒｍ）を経る場合、下記のようにこれを表現することができる。
【００９０】
【数２】
2019523617.tif 000005
【００９１】
前記数式で、
2019523617.tif 000006
はそれぞれＣＰＥ（ｃｏｍｍｏｎ  ｐｈａｓｅ  ｅｒｒｏｒ）及びＩＣＩを示す。このとき、位相雑音（ｐｈａｓｅ  ｎｏｉｓｅ）間に相関関係が大きいほど前記ＣＰＥは大きな値を有することになる。
【００９２】
＜ＰＣＲＳ（Ｐｈａｓｅ  Ｃｏｍｐｅｎｓａｔｉｏｎ  Ｒｅｆｅｒｅｎｃｅ  Ｓｉｇｎａｌ）の実施例＞
【００９３】
図１５は、ＰＣＲＳの一例を概略的に示す。
【００９４】
図１５で、５番目サブキャリア（ｓｕｂｃａｒｒｉｅｒ）にそれぞれ０番ポートのＰＣＲＳが定義されている。前記ＰＣＲＳは一連の時間軸に連続されるように定義されており、よって、互いに異なる時間軸ＯＦＤＭシンボル間の位相（ｐｈａｓｅ）差を推定することができる。ＤＭＲＳ（Ｄｅｍｏｄｕｌａｔｉｏｎ  ｒｅｆｅｒｅｎｃｅ  ｓｉｇｎａｌ）及びＰＣＲＳを除いた残りは、一般的なＰＤＳＣＨ或いはＰＤＣＣＨを示す。
【００９５】
以下、本発明について説明する。
【００９６】
以下で説明する提案方式は、ＮＲシステム下で、事前に設定されるか、またはシグナリングされた複数個のアナログビーム（またはビーム参照信号（ＢＥＡＭ  ＲＥＦＥＲＥＮＣＥ  ＳＩＧＮＡＬ：ＢＲＳ）のＩＤ）ベースのアップリンクチャンネル／信号の転送（スイッチング）動作（／モード）が遂行されるとき、アナログビーム（或いはＢＲＳ  ＩＤ）別の（アップリンク通信関連）のパラメータを効率的に設定（／シグナリング）する方法を提示する。
【００９７】
本発明で、一例として、「アナログビーム」という用語は、「（デジタル）ビーム（インデックス）」及び／又は「（ビーム（インデックス）と連動した）参照信号リソース（例えば、アンテナポート、層インデックス、（時間／周波数）リソースパターン等）（インデックス）」及び／又は「（仮想の）セル（識別子（／インデックス））」等と拡張解釈されることもできる。
【００９８】
図１６は、本発明に係る端末のアップリンク通信の遂行方法を例示する。
【００９９】
図１６を参照すると、端末はアナログビーム別に独立に設定された、アップリンク通信のパラメータを受信する（Ｓ１０）。例えば、端末にアナログビームが複数個設定された場合、一部のアナログビームには同一の値を有するアップリンク通信のパラメータが設定され、残りのアナログビームには互いに異なる値を有するアップリンク通信のパラメータが設定されることができる。または、全てのアナログビームのそれぞれに互いに異なる値を有するアップリンク通信のパラメータが設定されることもできる。即ち、各アナログビーム別に独立に、アップリンク通信のパラメータ値が設定される。
【０１００】
端末は特定のアナログビームを用いてアップリンク通信を遂行するとき、前記特定のアナログビームに設定されたアップリンク通信関連のパラメータを適用し、前記アップリンク通信を遂行する（Ｓ２０）。
【０１０１】
例えば、端末が第１アナログビームを用いてＰＵＳＣＨの転送を行う時には、第１アップリンク通信のパラメータを適用し、第２アナログビームを用いてＰＵＳＣＨの転送を行う時には、第２アップリンク通信のパラメータを適用する。この時、前記第１、２アップリンク通信のパラメータは、各アナログビームの特性／環境を考慮して設定された値であるため、より効率的なアップリンク通信が可能になる。
【０１０２】
端末が事前に測定／報告した上位Ｋ個のビーム参照信号の受信電力（ＢＥＡＭ  ＲＥＦＥＲＥＮＣＥ  ＳＩＧＮＡＬ  ＲＥＣＥＩＶＥＤ  ＰＯＷＥＲ：  ＢＲＳＲＰ）情報を参照し、基地局はＭ個（例えば、Ｋ≦≦Ｍ）のアナログビーム（或いはＢＲＳ  ＩＤ）ベースのアップリンクチャンネル／信号の転送（スイッチング）動作（／モード）を設定（／シグナリング）することができる。
【０１０３】
基地局は端末に、事前に定義された（物理層）シグナリングを介して、特定のアナログビーム（或いはＲＲＳ  ＩＤ）ベースのアップリンクチャンネル／信号の転送（例えば、ＰＵＳＣＨ／ＰＵＣＣＨ／ＳＲＳ）をスケジューリング（／トリガリング）することができる。
【０１０４】
一例として、（Ｍ個の）アナログビーム（或いはＢＲＳ  ＩＤ）別に異なるアップリング電力制御プロセスが設定（／連動）されることができる。例えば、特定のアップリンク電力制御プロセスと関連した経路損失（ＰＡＴＨＬＯＳＳ：ＰＬ）値は、該当アップリンク電力制御プロセスと連動したビーム参照信号（ＢＲＳ）の測定を介して遂行されることができる。
【０１０５】
アップリンク電力制御プロセス別に独立した（または分離された）転送電力制御（ＴＲＡＮＳＭＩＴ  ＰＯＷＥＲ  ＣＯＮＴＲＯＬ：ＴＰＣ）累積（ＡＣＣＵＭＵＬＡＴＩＯＮ）の動作が設定（／シグナリング）されることもできる。
【０１０６】
一例として、端末に設定（／シグナリング）される（Ｍ個の）（複数個の）アナログビーム（或いはＢＲＳ  ＩＤ）は、（アップリンク協力転送（ＣｏＭＰ）の動作が適用される）異なる（或いは同一である）転送及び受信ポイント（ＴＲＡＮＳＭＩＳＳＩＯＮ  ＆  ＲＥＣＥＰＴＩＯＮ  ＰＯＩＮＴ：ＴＲＰ）または物理的セルに対するものであり得る。
【０１０７】
（Ｍ個の）アナログビーム（或いはＢＲＳ  ＩＤ）別にアップリンクチャンネル／信号の転送が経る干渉パターン（／強度）、（周波数／時間領域上の）チャンネル状態、（トラフィック）負荷（ＬＯＡＤ）状態、リソース使用率（ＲＥＳＯＵＲＣＥ  ＵＴＩＬＩＺＡＴＩＯＮ）、（リソース）スケジューリングの形態（ＲＥＳＯＵＲＣＥ  ＳＣＨＥＤＵＬＩＮＧ  ＰＯＬＩＣＹ／ＰＡＴＴＥＲＮ）、タイミングアドバンス（ＴＩＭＩＮＧ  ＡＤＶＡＮＣＥ：ＴＡ）値等が同一ではないことがある。例えば、異なる位置の（物理的）セル（或いはＴＲＰ）関連（Ｍ個の）アナログビーム（或いはＢＲＳ  ＩＤ）が設定（／シグナリング）された場合にそうである。
【０１０８】
従って、前述したように、（Ａ）異なる特性（／環境）のアナログビーム（或いはＢＲＳ  ＩＤ）を介して転送されるアップリンクチャンネル／信号の高い信頼度（ＲＥＬＩＡＢＩＬＩＴＹ）と、（Ｂ）アナログビーム（或いはＢＲＳ  ＩＤ）別の効率的なリソースの運営（／スケジューリング）のために、下記で説明するアップリンク通信関連の特定のパラメータが（一部或いは全ての）アナログビーム（或いはＢＲＳ  ＩＤビームの測定のための新しい参照信号ＩＤ）間に異なって（或いは独立に）設定（／シグナリング）されることができる。
【０１０９】
図１７は、図１６の方法を適用する具体的な例を示す。
【０１１０】
図１７を参照すると、基地局は端末に複数のアナログビームを転送する（Ｓ１００）。各アナログビームは、ビーム参照信号（ｂｅａｍ  ｒｅｆｅｒｅｎｃｅ  ｓｉｇｎａｌ：ＢＲＳ）を含むことができ、ビーム参照信号はアナログビーム別に区分されるＢＲＳ  ＩＤ（ｉｄｅｎｔｉｔｙ）を含むことができる。
【０１１１】
端末は、アナログビームを測定し（Ｓ１１０）、アナログビームの測定結果を基地局に報告する（Ｓ１２０）。例えば、端末は各アナログビームに含まれたビーム参照信号の受信電力（ＢＲＳＲＰ）情報を基地局に報告することができる。
【０１１２】
基地局は前記測定結果を参照し、アナログビーム別にアップリンク通信関連のパラメータを独立に設定し（Ｓ１３０）、設定されたアナログビーム別のアップリンク通信関連のパラメータを端末にシグナリングする（Ｓ１４０）。一例として、アナログビーム（或いはＢＲＳ  ＩＤ）別のアップリンク通信関連のパラメータは、端末に対する（ＢＲＳＲＰベースの）上位Ｋ個のアナログビーム（或いはＢＲＳ  ＩＤ）リストが変更（／更新）される場合に再設定（／再シグナリング）されることができる。
【０１１３】
例えば、端末に第１、２、３アナログビームが設定されていたが、端末が送ってきた測定結果に基づき、前記端末に設定されるアナログビームが第１、３、４アナログビームに変更される場合に、基地局がアナログビーム別のアップリンク通信関連のパラメータを端末にシグナリングする。
【０１１４】
端末は、特定のアナログビームを介したアップリンク通信を遂行するとき、前記特定のアナログビームに設定されたパラメータを前記アップリンク通信に適用した後に遂行する（Ｓ１５０）。
【０１１５】
Ｍ個のアナログビーム（或いはＢＲＳ  ＩＤ）別に異なるアップリンク電力制御プロセスが設定（／連動）された場合、下記提案の規則の適用は、一部或いは全てのアップリンク電力制御プロセスベースのアップリンクチャンネル／信号の転送時、（アップリンク通信関連の）（特定の）パラメータが異なって（或いは独立に）設定（／シグナリング）されたものと解釈され得る。
【０１１６】
また別の一例として、異なる特性（／環境）のアナログビーム（或いはＢＲＳ  ＩＤ）に関係なく、下記（アップリンク通信関連の）（特定の）パラメータが（全ての或いは一部）アナログビーム（或いはＢＲＳ  ＩＤ）間に同一に（或いは共通に）設定（／シグナリング）されることもできる。
【０１１７】
また別の一例として、異なる特性（／ヌメロロジー（ＮＵＭＥＲＯＬＯＧＹ））（例えば、サービス品質（ＱＯＳ）／遅延要求事項、ＴＴＩ長さ、副搬送波スペーシング等）のサービス通信（例えば、ＵＲＬＬＣ、ＥＭＢＢ、ＭＭＴＣ等）別に（開−ループ（ＯＰＥＮ−ＬＯＯＰ）電力制御のパラメータ情報（例えば、「Ｐ＿Ｏ」、「ＡＬＰＨＡ」等）を含んで）下記（アップリンク通信関連の）（特定の）パラメータ（及び／又はＴＰＣ累積動作）が（一部或いは全ての）異なって（或いは独立に或いは共通に）設定（／シグナリング）されることができる。
【０１１８】
相対的に高いサービス品質要求事項（及び／または短い遅延要求事項及び／又は短いＴＴＩ長さ）のＵＲＬＬＣサービスには、他のサービスタイプに比べて相対的に高い値の（開−ループ）電力制御のパラメータを設定（／シグナリング）することができる。これを介して、高い電力値の短いＴＴＩ（ＵＲＬＬＣ）の転送時、信頼度を向上させることができる。
【０１１９】
後述する例示（例示＃１−１乃至＃１−５）は、アナログビーム別のアップリンク通信関連のパラメータを示す。
【０１２０】
（例示＃１−１）ＰＵＳＣＨにピギーバックされるアップリンク制御情報（ＵＰＬＩＮＫ  ＣＯＮＴＲＯＬ  ＩＮＦＯＲＭＡＴＩＯＮ：ＵＣＩには、例えば、ＨＡＲＱ−ＡＣＫ、ＣＳＩ（ＲＩ／ＣＱＩ／ＰＭＩ）等がある。このようなＵＣＩのＭＣＳオフセット値（ＢＥＴＡ＿ＯＦＦＳＥＴ）が前述したアナログビーム別のアップリンク通信関連のパラメータであり得る。
【０１２１】
例えば、相対的に高い強度の干渉が受信されるか、または受信される干渉パターン（／特性）の変化が大きなアナログビーム（或いはＢＲＳ  ＩＤ）には、相対的に大きい値のＭＣＳオフセット値を設定（／シグナリング）し、そうでないアナログビーム（或いはＢＲＳ  ＩＤ）には相対的に小さい値のＭＣＳオフセット値を設定（／シグナリング）することができる。
【０１２２】
事前に設定またはシグナリングされたＤＣＩフォーマットを介した非周期的トリガリングベースのＵＣＩのみ転送される（ＵＬ−ＳＣＨなく）転送、ＰＵＳＣＨピギーバックベースのＵＣＩ（ＵＬ−ＳＣＨと共に）転送、ＰＵＳＣＨ（データ）転送）に適用される（転送）技法、アンテナポート、ＰＵＳＣＨ（ＺＡＤＯＦＦ−ＣＨＵ）参照信号シーケンスの生成、ＰＵＳＣＨ参照信号グループ（／シーケンス）ホッピング、ＰＵＳＣＨスクランブリング（シーケンス）生成器のうちの少なくとも一つに関連したシード（／入力パラメータ）値が異なる特性（／環境）のアナログビーム（或いはＢＲＳ  ＩＤ）間に異なって設定（／シグナリング）されることができる。
【０１２３】
相対的に高い強度の干渉が受信されるか、または受信される干渉パターン（／特性）の変化が大きなアナログビーム（或いはＢＲＳ  ＩＤ）には、複数個のアンテナポートベースの送信ダイバーシチ（ＴＲＡＮＳＭＩＳＳＩＯＮ（ＴＸ）  ＤＩＶＥＲＳＩＴＹ）技法（ＳＦＢＣ）が設定（／シグナリング）されることができる。
【０１２４】
前記規則が適用される場合、アナログビーム（或いはＢＲＳ  ＩＤ）スイッチングに関係なく、ＵＣＩ（及び／又はデータ）が信頼度高く転送可能である。
【０１２５】
（例示＃１−２）ＵＣＩ（例えば、ＨＡＲＱ−ＡＣＫ、ＣＳＩ（ＲＩ／ＣＱＩ／ＰＭＩ）等）の転送のための（Ａ）ＰＵＣＣＨリソース（例えば、シーケンス（／循環シフト）、（ＰＵＣＣＨ）リソースブロックの大きさ／位置、アンテナポート等）、（Ｂ）ＰＵＣＣＨフォーマット、（Ｃ）ＰＵＣＣＨ転送技法（例えば、（複数個のアンテナポートベースの）送信ダイバーシチ技法（ＳＦＢＣ）、ＳＯＲＴＤ等）、（Ｄ）ＰＵＣＣＨ参照信号シーケンス（例えば、ＺＡＤＯＦＦ−ＣＨＵシーケンス）生成（ＰＵＣＣＨ参照信号グループ（／シーケンス）ホッピング、ＰＵＣＣＨスクランブリング（シーケンス）生成器）関連のシード（／入力パラメータ）値のうちの少なくとも一つが前述したアップリンク通信関連のパラメータであり得る。
【０１２６】
アナログビーム（或いはＢＲＳ  ＩＤ）別に（高い）干渉が受信されるリソース領域（／干渉の強度）、（ダウンリンク）負荷状態、（リソース）スケジューリングの形態等が異なることができる。これを考慮し、ＰＵＣＣＨリソース、ＰＵＣＣＨフォーマット、ＰＵＣＣＨ転送技法等を異なって設定（／シグナリング）することが効率的であり得る。
【０１２７】
相対的に高い強度の干渉が受信されるか、または受信される干渉パターン（／特性）変化が大きなアナログビーム（或いはＢＲＳ  ＩＤ）には、送信ダイバーシチ技法（ＳＦＢＣ）（或いはＳＯＲＴＤ）ベースのＰＵＣＣＨの転送が設定（／シグナリング）されることができる。
【０１２８】
ＰＵＣＣＨリソース、ＰＵＣＣＨフォーマット、ＰＵＣＣＨ転送方式等の情報は、上位層のシグナリングまたは物理層のシグナリングを介して、ＢＲＳ  ＩＤにリンケージ（ＬＩＮＫＡＧＥ）されることができる。例えば、ＤＣＩフォーマット（ＵＬ  ＧＲＡＮＴ）を介してアップリンクチャンネル／信号の転送（或いは（基地局）受信）関連のＢＲＳ  ＩＤ（或いはアナログビーム）情報がシグナリングされれば、該当ＤＣＩフォーマットを介してＰＵＣＣＨリソース、ＰＵＣＣＨフォーマット、ＰＵＣＣＨ転送方式等の動的変更が支援されるものと解釈可能である。
【０１２９】
異なる特性（／環境）のアナログビーム（或いはＢＲＳ  ＩＤ）間にＰＵＣＣＨ／ＰＵＳＣＨ同時転送設定（／許可）可否、パワーヘッドルームタイプ（例えば、タイプ１／２）等が異なって設定（／シグナリング）されることができる。
【０１３０】
（例示＃１−３）次のパラメータのうちの少なくとも一つが、前述したアナログビーム（或いはＢＲＳ  ＩＤ）別に独立に提供／設定されるアップリンク通信関連のパラメータであり得る。
【０１３１】
（Ａ）（非周期的）ＳＲＳの転送に適用されるパワーオフセット値、（Ｂ）ＰＵＣＣＨフォーマット別に適用されるパワーオフセット値、（Ｃ）ＰＵＣＣＨの送信ダイバーシチ技法に適用されるパワーオフセット値（或いはＰＵＣＣＨ転送技法別に適用されるパワーオフセット値）、（Ｄ）ＰＵＣＣＨフォーマットと転送されるＵＣＩペイロード（ｐａｙｌｏａｄ）の大きさを（共に）考慮し、（追加的に）適用されるパワーオフセット値のうちの少なくとも一つ。
【０１３２】
一例として、このような規則が適用される場合、異なる（干渉）特性（／環境）のアナログビーム（或いはＢＲＳ  ＩＤ）別に適応的な（ＡＤＡＰＴＩＶＥ）電力の制御が可能である。前記規則が適用されるとき、もし事前に設定（／シグナリング）された複数個のアナログビーム（或いはＢＲＳ  ＩＤ）をスイッチングするＭＵＬＴＩ−ＳＨＯＴ（非周期的）ＳＲＳの転送が遂行（／トリガリング）されれば、アナログビーム（或いはＢＲＳ  ＩＤ）別に適用される（非周期的）ＳＲＳ転送電力（或いはＳＲＳ  ＵＬ  ＰＣ  ＰＲＯＣＥＳＳ）が（一部或いは全て）異なることができる。
【０１３３】
一例として、異なる（特性（／環境）の）アナログビーム（或いはＢＲＳ  ＩＤ）間に最大許可転送電力値（P＿ＣＭＡＸ、Ｃ、Ｂ（ここで、Ｃ／Ｂ値はそれぞれセル（／ＴＲＰ）インデックス、アナログビームインデックス（／ＢＲＳ  ＩＤ）を示す））が異なって設定（／シグナリング）されることができる。
【０１３４】
一例として、異なる（特性（／環境）の）アナログビーム（或いはＢＲＳ  ＩＤ）間に開−ループ電力制御のパラメータ情報（ＯＬＰＣ＿ＰＡＲＡ）（例えば、「Ｐ＿Ｏ」、「ＡＬＰＨＡ」等）を異なって設定（／シグナリング）することができる。この場合、（Ａ）最も低い（或いは最も高い、或いは（基地局から）設定（／シグナリング）された）ＢＲＳ  ＩＤ関連のＯＬＰＣ＿ＰＡＲＡ情報或いは（Ｂ）（事前に測定／報告した）最も高い（或いは最も低い、或いは（基地局から）設定（／シグナリング）された上位（或いは下位）Ｑ番目）ＢＲＳＲＰのアナログビーム（或いはＢＲＳ  ＩＤ）関連のＯＬＰＣ＿ＰＡＲＡ情報或いは（Ｃ）経路損失測定の基準に設定（／シグナリング）されたＢＲＳ  ＩＤ関連のＯＬＰＣ＿ＰＡＲＡ情報を基準値（ＲＥＦＥＲ＿ＯＬＰＣ）と仮定し、残りのアナログビーム（或いはＢＲＳ  ＩＤ）関連のＯＬＰＣ＿ＰＡＲＡ情報は、前記基準値に対して差異値（ＤＥＬＴＡ）として知らせることができる。このような規則が適用される場合、ＯＬＰＣ＿ＰＡＲＡ情報のシグナリング関連のオーバーヘッドを減らすことができる。
【０１３５】
一例として、複数個の（アナログビーム（或いはＢＲＳ  ＩＤ）関連）アップリンク電力制御プロセス間に（事前に設定（／シグナリング）された）ＯＬＰＣ＿ＰＡＲＡ（例えば、「Ｐ＿Ｏ」、「ＡＬＰＨＡ」等）を共通して適用させるようにし、（アップリンクチャンネル／信号をスケジューリング関連）ＤＣＩフォーマット（例えば、ＵＬ  ＧＲＡＮＴ）上で（事前に設定（／シグナリング）された）パワーオフセット値の適用可否が指示されることができる。ここで、一例として、該当パワーオフセット値は、アナログビーム（或いはＢＲＳ  ＩＤ）別に異なって設定（／シグナリング）されることができる。
【０１３６】
（例示＃１−４）（Ａ）アナログビーム（或いはＢＲＳ  ＩＤ）別のアップリンク半静的スケジューリング（ＵＬ  ＳＥＭＩ−ＰＥＲＳＩＳＴＥＮＴ  ＳＣＨＥＤＵＬＩＮＧ：ＳＰＳ）転送関連のＯＬＰＣ＿ＰＡＲＡ情報（例えば、「Ｐ＿Ｏ＿ＳＰＳ」、「ＡＬＰＨＡ＿ＳＰＳ」等）、（Ｂ）アナログビーム（或いはＢＲＳ  ＩＤ）別のアップリンク半静的スケジューリングの設定／リソース情報（例えば、ＳＰＳ周期、（ＳＰＳ）ＭＣＳ／ＲＢの大きさ及び位置等）、（Ｃ）アップリンク半静的スケジューリングのホッピング動作及び設定情報（例えば、ＳＰＳ  ＨＯＰＰＩＮＧ  ＢＡＮＤＷＩＤＴＨ等）のうちの少なくとも一つが前述したアナログビーム（或いはＢＲＳ  ＩＤ）別に独立に提供／設定されるアップリンク通信関連のパラメータであり得る。
【０１３７】
異なるアナログビーム（或いはＢＲＳ  ＩＤ）と連動したアップリンクＳＰＳ（電力制御）プロセス別に独立に（或いは分離された）ＴＰＣ累積動作が設定（／シグナリング）されることができる。一例として、アナログビーム（或いはＢＲＳ  ＩＤ）間にアップリンクＳＰＳ  ＯＬＰＣ＿ＰＡＲＡ情報、アップリンクＳＰＳの設定／リソース情報、アップリンクＳＰＳのホッピング動作及び設定情報等が異なって指定されることは、互いに異なるアナログビーム（或いはＢＲＳ  ＩＤ）に連動した複数個のアップリンクＳＰＳ（電力制御）プロセスが設定（／シグナリング）されたものとも解釈可能である。
【０１３８】
（例示＃１−５）（Ａ）（非周期的）ＳＲＳリソース／転送の形態（／方式）情報（例えば、シーケンス、ＳＲＳ（ホッピング）帯域、ＣＯＭＢ、アンテナポート、ＳＲＳ（ＺＡＤＯＦＦ−ＣＨＵ）シーケンス生成関連のシード（／入力パラメータ）値）、（Ｂ）アップリンク転送モード（ＴＭ）情報、（Ｃ）ＴＡ情報（例えば、ＴＡＧ設定（／シグナリング）がアナログビーム（或いはＢＲＳ  ＩＤ）の単位で遂行されることができる）のうちの少なくとも一つが、前述したアナログビーム（或いは、ＢＲＳ  ＩＤ）別に独立に提供／設定されるアップリンク通信関連のパラメータであり得る。
【０１３９】
以下の提案方式は、ＮＲシステム下で、アップリンクＳＰＳの動作を効率的に運営（／支援）する方法を提示する。
【０１４０】
（例示＃２−１）既存のＬＴＥシステムの搬送波集成（ＣＡ）の状況では、例えば、プライマリセル（ＰＣＥＬＬ）上でのみアップリンクＳＰＳの動作が許可（／設定）された。ＮＲでは、事前に測定／報告した最も高い（或いは最も低い、或いは基地局から設定されるか、またはシグナリングされた上位（或いは下位）のＱ番目（或いはＷ個の））ＢＲＳＲＰのアナログビーム（或いはＢＲＳ  ＩＤ）に対してのみアップリンクＳＰＳの動作が設定（／シグナリング）されることができる。または、最も低い（或いは最も高い、或いは基地局から設定（／シグナリング）された）ＢＲＳ  ＩＤ（或いはアップリンク電力制御プロセスインデックス）関連のアナログビーム（或いはＢＲＳ  ＩＤ）に対してのみアップリンクＳＰＳの動作が設定（／シグナリング）されることができる。このような規則が適用される場合、アップリンクＳＰＳの動作が相対的に高い信頼度で遂行されることができる。
【０１４１】
図１８は、例示＃２−１によるＳＰＳ設定方法を示す。
【０１４２】
図１８を参照すると、基地局は転送したアナログビームに対する測定報告を受信する（Ｓ２００）。
【０１４３】
基地局は前記測定報告に基づき、選択された一部のアナログビームに対してのみアップリンクＳＰＳの動作を設定する（Ｓ２１０）。例えば、端末は、アナログビームに含まれたビーム参照信号（ＢＲＳ）に対してＢＲＳＲＰを測定した後、その値が大きい順にＷ個のアナログビームに対してのみ測定報告を遂行することができる。この場合、基地局は前記測定報告を参照し、ＢＲＳＲＰ値が臨界値以上であるＭ個のアナログビームに対してのみアップリンクＳＰＳの動作を許可するか、アップリンクＳＰＳの動作に対する設定を提供することができる。
【０１４４】
（例示＃２−２）基地局は、（（例示＃２−１）条件を満たす）複数個（例えば、「２」）のアナログビーム（或いはＢＲＳ  ＩＤ）のうち特定のアナログビーム（或いはＢＲＳ  ＩＤ）（これをＣＵ＿ＳＰＳＢＥＡＭとする）に対しては、（端末に）アップリンクＳＰＳ動作を（現在）遂行するようにし、他のアナログビーム（或いはＢＲＳ  ＩＤ）（これをＦＢ＿ＳＰＳＢＥＡＭとする）ベースのアップリンクＳＰＳの動作は、事前に設定（／シグナリング）されたイベント（例えば、ＣＵ＿ＳＰＳＢＥＡＭが上位（或いは下位）のＫ個のＢＲＳＲＰのアナログビーム（或いはＢＲＳ  ＩＤ）のリストから除外される場合、或いはＣＵ＿ＳＰＳＢＥＡＭの（既存の）ＢＲＳＲＰの順位が変更される場合）発生時（或いは基地局から関連のシグナリング（／指示子）受信時）にのみ遂行されるようにすることができる。例えば、前記ＦＢ＿ＳＰＳＢＥＡＭは、アップリンクＳＰＳ（動作）フォールバック用途のアナログビーム（或いはＢＲＳ  ＩＤ）と解釈され得る。
【０１４５】
前記ＣＵ＿ＳＰＳＢＥＡＭは、前記ＦＢ＿ＳＰＳＢＥＡＭに対して相対的に高い（或いは低い）ＢＲＳＲＰ（或いは、ＢＲＳ  ＩＤ（或いは、アップリンク電力制御プロセスインデックス））のアナログビーム（或いは、ＢＲＳ  ＩＤ）に設定（／シグナリング）されることができる。例えば、ＣＵ＿ＳＰＳＢＥＡＭとＦＢ＿ＳＰＳＢＥＡＭは、次第に上位第一（ＢＥＳＴ）、上位第二のＢＲＳＲＰ関連のアナログビーム（或いは、ＢＲＳ  ＩＤ）と指定されることができる。
【０１４６】
（例示＃２−３）アップリンクＳＰＳの活性化及び／又は解除用途のＤＣＩフォーマット上に下記（一部或いは全ての）情報関連のフィールドが定義されることができる。
【０１４７】
例えば、アナログビーム（集合／グループ）またはＢＲＳ  ＩＤ（集合／グループ）別にアップリンクＳＰＳ（集合／グループ）の活性化及び／又は解除ＤＣＩフォーマット関連のＲＮＴＩ情報が事前に設定（／シグナリング）されることができる。
【０１４８】
１）ＢＲＳ  ＩＤ情報フィールド（或いはアップリンクＳＰＳプロセスインデックス情報フィールド）。このようなフィールドが定義されることによって、特定のＢＲＳ  ＩＤ（或いはアップリンクＳＰＳプロセスインデックス）関連のアップリンクＳＰＳの動作が個別（／効率）的に活性化及び／又は解除されることができる。
【０１４９】
２）アップリンクＳＰＳの活性化及び／又は解除用途のＤＣＩフォーマット受信時点（例えば、ＳＦ＃Ｎ）から特定のＢＲＳ  ＩＤ（或いはアップリンクＳＰＳプロセスインデックス）関連のアップリンクＳＰＳの動作が実際に活性化及び／又は解除されるタイミング（オフセット）情報（Ｋ＿ＯＦＦＳＥＴ）フィールド（例えば、ＳＦ＃（Ｎ＋Ｋ＿ＯＦＦＳＥＴ）の時点で、実際にアップリンクＳＰＳの活性化及び／又は解除が遂行される）
【０１５０】
３）アップリンクＳＰＳの活性化及び／又は解除指示（ＩＮＤＩＣＡＴＩＯＮ）フィールド。
【０１５１】
前記フィールドは共通（或いは同一）のＤＣＩフォーマット（／構造）を用いて、アップリンクＳＰＳの活性化と解除をシグナリングする際に有用であり得る。
【０１５２】
（例示＃２−４）端末は、事前に設定されるか、シグナリングされたチャンネル／信号（例えば、スケジューリング要求（ＳＣＨＥＤＵＬＩＮＧ  ＲＥＱＵＥＳＴ：ＳＲ））を介して、事前に設定（／シグナリング）されたイベント（例えば、ＵＬ  ＳＰＳの動作が遂行されるアナログビーム（或いは、ＢＲＳ  ＩＤ）の（リンク）品質が事前に設定（／シグナリング）された臨界値以下に低下するか、或いはＢＲＳＲＰ（ＲＮＡＫＩＮＧ）値が事前に設定（／シグナリング）された臨界値よりも低下する場合、或いはＢＲＳＲＰ（低下）の変動幅が事前に設定（／シグナリング）された臨界値よりも大きい場合）発生時、特定のＢＲＳ  ＩＤ（或いはアップリンクＳＰＳプロセスインデックス）関連のアップリンクＳＰＳの動作の解除要求の情報、或いは特定のＢＲＳ  ＩＤ（或いはアップリンクＳＰＳプロセスインデックス）関連のアップリンクＳＰＳの動作が不安定であるという情報、或いは他のＢＲＳ  ＩＤ（或いは、アップリンクＳＰＳプロセスインデックス）ベースのアップリンクＳＰＳの動作への変更要求の情報を（基地局に）知らせることができる。
【０１５３】
（例示＃２−５）異なる（或いは複数個の）アナログビーム（或いはＢＲＳ  ＩＤ）（或いはアップリンクＳＰＳ（電力制御）プロセス）ベースのアップリンクＳＰＳの転送動作を効率的に支援するために、端末に、事前に定義またはシグナリングされた（アップリンクＳＰＳ）ＴＰＣ  ＤＣＩフォーマット（例えば、既存のＬＴＥシステムのＤＣＩフォーマット３／３Ａ（このようなＤＣＩフォーマットにはデータスケジューリング情報フィールドなく、（ただ）ＴＰＣ情報フィールドのみが定義されている）と類似する）をモニタリングするようにできる。
【０１５４】
一例として、（アップリンクＳＰＳ）ＴＰＣ  ＤＣＩフォーマットは、事前に設定またはシグナリングされた（端末グループ共通（／特定的））ＲＮＴＩベースに（ブラインド）デコーディングされるか、及び／又は事前に設定（／シグナリング）された（或いは（関連）ＲＮＴＩ値を入力パラメータとして有する検索空間（ＳＳ）ハッシュ関数（ＨＡＳＨＩＮＧ  ＦＵＮＣＴＩＯＮ）を介して導出された）（端末−特定的或いは共通）検索空間リソース上で特定の集成レベル（ＡＧＧＲＥＧＡＴＩＯＮ ＬＥＶＥＬ： ＡＬ）で転送されることができる。
【０１５５】
一例として、基地局は端末に（上位（／物理）層のシグナリングを介して）特定のアナログビーム（或いはＢＲＳ  ＩＤ）（或いは特定のアップリンクＳＰＳ（電力制御）プロセス）関連のアップリンクＳＰＳ  ＴＰＣ情報がシグナリングされる（（アップリンクＳＰＳ）ＴＰＣ  ＤＣＩフォーマット上の）フィールド位置（／インデックス）情報を知らせることができる。
【０１５６】
異なるアナログビーム（或いはＢＲＳ  ＩＤ）（或いは特定のアップリンクＳＰＳ（電力制御）プロセス）関連の（アップリンクＳＰＳ）ＴＰＣ  ＤＣＩフォーマットは、互いに異なる（端末グループの共通（／特定的））ＲＮＴＩベースに（異なる（端末特定的或いは共通）検索空間リソース上で（特定の集成レベルで））（ブラインド）デコーディングされることもできる。
【０１５７】
前記説明したアップリンクＳＰＳ  ＴＰＣ  ＤＣＩフォーマットと同一の（或いは類似する）原理（／規則）で、異なる（或いは複数個の）アナログビーム（或いはＢＲＳ  ＩＤ）（或いはアップリンク電力制御プロセス）別のＰＵＣＣＨ転送電力を効率的に制御するためのＰＵＣＣＨ  ＴＰＣ  ＤＣＩフォーマットが定義されることもできる。
【０１５８】
（例示＃２−６）特定のアップリンクＳＰＳプロセス（設定）を（事前に設定（／シグナリング）された）複数個のアナログビーム（或いはＢＲＳ  ＩＤ）間に共有し（アナログビーム（或いはＢＲＳ  ＩＤ））スイッチング動作で支援するために、アップリンクＳＰＳ転送関連のアナログビーム（或いはＢＲＳ  ＩＤ）スイッチングを指示する物理（／上位）層のシグナリングが定義されることができる。
【０１５９】
一例として、該当用途の（物理層）シグナリングは、ＤＣＩ（フォーマット）の形態で定義されることができる。基地局は端末に（上位（／物理）層のシグナリングを介して）（該当ＤＣＩ（フォーマット）上の）モニタリングすべきフィールド位置（／インデックス）情報を知らせることができる。
【０１６０】
端末は、（該当）フィールドモニタリングを介して、アップリンクＳＰＳ転送関連のアナログビーム（或いはＢＲＳ  ＩＤ）スイッチング情報を把握することができる。
【０１６１】
このような（用途の）ＤＣＩフォーマットは、事前に設定（／シグナリング）された（端末グループの共通（／特定的））ＲＮＴＩベースに（ブラインド）デコーディングされるか、及び／又は事前に設定（／シグナリング）された（或いは（関連）ＲＮＴＩ値を入力パラメータとして有する検索空間ハッシュ関数を介して導出された）（端末特定的或いは共通）検索空間リソース上で（特定の集成レベルで）転送されることができる。
【０１６２】
前記説明した提案方式に対する一例もまた、本発明の具現方法のうちの一つに含まれることができるので、一種の提案方式と見なされることができることは明白な事実である。また、前記説明した提案方式は独立に具現されることもできるが、一部の提案方式の組み合わせ（或いは併合）の形態で具現されることもできる。一例として、本発明の提案方式が適用されるシステムの範囲は、３ＧＰＰ  ＬＴＥシステム以外に他のシステムでも拡張可能である。
【０１６３】
図１９は、本発明の実施例が具現される装置を示すブロック図である。
【０１６４】
図１９を参照すると、基地局１００は、プロセッサ（ｐｒｏｃｅｓｓｏｒ）１１０、メモリ（ｍｅｍｏｒｙ）１２０、及びＲＦ部（ＲＦ（ｒａｄｉｏ  ｆｒｅｑｕｅｎｃｙ）ｕｎｉｔ）１３０を含む。プロセッサ１１０は、提案された機能、過程及び／又は方法を具現する。メモリ１２０はプロセッサ１１０と連結され、プロセッサ１１０を駆動するための多様な情報を格納する。ＲＦ部１３０はプロセッサ１１０と連結され、無線信号を送信及び／又は受信する。
【０１６５】
端末２００は、プロセッサ２１０、メモリ２２０、及びＲＦ部２３０を含む。プロセッサ２１０は、提案された機能、過程及び／又は方法を具現する。例えば、プロセッサ２１０は、アナログビーム別に独立に設定されたアップリンク通信関連のパラメータを受信し、前記パラメータを適用して前記アップリンク通信を遂行することができる。このとき、前記アップリンク通信を特定のアナログビームを用いて遂行する場合、前記特定のアナログビームに設定されたアップリンク通信関連のパラメータを前記アップリンク通信に適用することができる。メモリ２２０はプロセッサ２１０と連結され、プロセッサ２１０を駆動するための多様な情報を格納する。ＲＦ部２３０はプロセッサ２１０と連結され、無線信号を送信及び／又は受信する。
【０１６６】
プロセッサ１１０、２１０は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路、データ処理装置及び／又はベースバンド信号並びに無線信号を相互変換する変換機を含むことができる。メモリ１２０、２２０は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／又は他の格納装置を含むことができる。ＲＦ部１３０、２３０は、無線信号を送信及び／又は受信する一つ以上のアンテナを含むことができる。実施例がソフトウェアで具現されるとき、前述した技法は、前述した機能を遂行するモジュール（過程、機能等）で具現されることができる。モジュールはメモリ１２０、２２０に格納され、プロセッサ１１０、２１０によって実行されることができる。メモリ１２０、２２０は、プロセッサ１１０、２１０の内部または外部にあり得、よく知られている多様な手段でプロセッサ１１０、２１０と連結されることができる。
【図１】
2019523617.tif 000007
【図２】
2019523617.tif 000008
【図３】
2019523617.tif 000009
【図４】
2019523617.tif 000010
【図５】
2019523617.tif 000011
【図６】
2019523617.tif 000012
【図７】
2019523617.tif 000013
【図８】
2019523617.tif 000014
【図９】
2019523617.tif 000015
【図１０】
2019523617.tif 000016
【図１１】
2019523617.tif 000017
【図１２】
2019523617.tif 000018
【図１３】
2019523617.tif 000019
【図１４】
2019523617.tif 000020
【図１５】
2019523617.tif 000021
【図１６】
2019523617.tif 000022
【図１７】
2019523617.tif 000023
【図１８】
2019523617.tif 000024
【図１９】
2019523617.tif 000025
【国際調査報告】
2019523617.tif 000026
2019523617.tif 000027
2019523617.tif 000028
2019523617.tif 000029